(57)【要約】【課題】簡単な構造、且つ大幅なコストアップなしに蓋体の再掛かりをなくすことのできる再掛かり防止構造を提供すること。【解決手段】外郭を形成する本体と、前記本体上部にヒンジ軸を介して取り付けられる蓋体と、ロック機構と、前記本体内に収納される内鍋と、前記本体内に設けられる加熱源を有する炊飯器において、前記ヒンジ軸に複数のヒンジばねを設け、開蓋時、前記蓋体を閉鎖状態から所定開度まで前記複数のヒンジばねのばね力で開蓋し、前記所定開度後は前記複数のヒンジばねより少ないヒンジばねのばね力で開蓋する炊飯器。【選択図】図１
2014213056.tif 000002
【特許請求の範囲】
【請求項１】
外郭を形成する本体と、前記本体上部にヒンジ軸を介して取り付けられる蓋体と、ロック機構と、前記本体内に収納される内鍋と、前記本体内に設けられる加熱源を有する炊飯器において、
前記ヒンジ軸に複数のヒンジばねを設け、開蓋時、前記蓋体を閉鎖状態から所定開度まで前記複数のヒンジばねのばね力で開蓋し、前記所定開度後は前記複数のヒンジばねより少ないヒンジばねのばね力で開蓋することを特徴とする炊飯器。
【請求項２】
前記所定開度後は、一部のヒンジばねの前記蓋体に作用するばね力を零にし、残りのヒンジばねのばね力で前記蓋体を開蓋することを特徴とする請求項１記載の炊飯器。
【請求項３】
前記一部のヒンジばねは、前記蓋体の全開位置の所定開度手前で前記蓋体の開放速度を遅らせるように作用することを特徴とする請求項２に記載の炊飯器。
【発明の詳細な説明】
【技術分野】
【０００１】
本願発明は、炊飯器の蓋体の再掛かり防止構造に関する。
【背景技術】
【０００２】
近時、炊飯器（含む炊飯ジャー）の需要が増え、それにつれて多くの機能が付加されるようになり、例えば、加熱手段としてワークコイルを用いた誘導加熱方式が採用され、緻密で効率的な炊飯制御並びにその後の長時間に渡る保温制御を確実に行うことができる等、炊飯器は、使い勝手の良い製品の一つとして広く利用されている。
【０００３】
ところで、炊飯器の本体上方に設けられる蓋体は、本体上端部の肩部材の後方に取り付けられるヒンジ軸に取り付けられており、炊飯器の前方に設けられるロック機構の係合が解除されると同じくヒンジ軸に取り付けられるヒンジばねのばね力により自動的に開放される。
【０００４】
ところで、蓋体の開放速度は、ヒンジばねのばね力によって決まり、ばね力を強くすると蓋の開放速度が速くなり便利な反面、蓋体が急激に開放する結果、炊飯器が動いたり或いは後方に倒れたりする等の弊害が生じる恐れがある。このような弊害をなくすためにヒンジ軸にダンパーを設け、蓋体の開放速度を低減させるものがある（例えば、特許文献１参照）。
【０００５】
しかしながら、そのようなものは構造が複雑になり、生産コストが高騰するという新たな弊害が生じる。
【０００６】
そのような弊害をなくすためにヒンジばねのばね力を弱くすることが考えられる。ところで、炊飯器には、蓋体の上面にロック機構の一部であるロックレバーを設け、ロックレバーを押して蓋体を開放させるものがあるが、このようなものはロックレバーを押し下げた後、指等を離さない限り蓋体が開放しない。そのため、指等を離すタイミングが遅れると再度蓋体と本体とがロック状態になる所謂蓋体の再掛かりが生じることがある。
【０００７】
そのような弊害をなくすために、ロックが解除されると即座にシャッター部材が係止爪と係止溝間に侵入して蓋体の再掛かりを防止するものが提案されている（例えば、特許文献２参照）。
【０００８】
しかしながら、そのようなものもやはり構造が複雑になり、生産コストが高騰するという新たな弊害が生じる。また、そのようなものは、蓋体の開蓋時、シャッター部材が外部に露出し見ばえがよくないとともに、手入れがし難くなるという新たな弊害も生じる。
【先行技術文献】
【特許文献】
【０００９】
【特許文献１】特開２００５−２１１３２２号公報
【特許文献２】特開２０１２−２４９９９０号公報（００４０参照）
【発明の概要】
【発明が解決しようとする課題】
【００１０】
本願発明の目的は、このような課題を解決するものである。即ち、簡単な構造、且つ大幅なコストアップなしに蓋体の再掛かりをなくすことのできる再掛かり防止構造を提供することである。
【課題を解決するための手段】
【００１１】
上記目的を達成するため、本願発明は以下の構成を採用する。
【００１２】
請求項１に係る発明では、外郭を形成する本体と、前記本体上部にヒンジ軸を介して取り付けられる蓋体と、ロック機構と、前記本体内に収納される内鍋と、前記本体内に設けられる加熱源を有する炊飯器において、前記ヒンジ軸に複数のヒンジばねを設け、開蓋時、前記蓋体を閉鎖状態から所定開度まで前記複数のヒンジばねのばね力で開蓋し、前記所定開度後は前記複数のヒンジばねより少ないヒンジばねのばね力で開蓋する構成。
【００１３】
なお、例えばコイルばねの場合、ばね力を作用するコイル部と、コイル部の一端から伸びて蓋体側に係合する端部と、コイル部の他端から伸びて本体側に係合する端部と、を有するもの（例えば、図３に示すもの）を１個のヒンジばねとする。そのため、後記する図９に示すものは２個のヒンジばねになる。即ち、複数のヒンジばねは、別体のものは勿論のこと、一体になっていてもよい。
【００１４】
請求項２に係る発明では、前記所定開度後は、一部のヒンジばねの前記蓋体に作用するばね力を零にし、残りのヒンジばねのばね力で前記蓋体を開蓋する構成。
【００１５】
請求項３に係る発明では、前記一部のヒンジばねは、前記蓋体の全開位置の所定開度手前で前記蓋体の開放速度を遅らせるように作用する構成。
【発明の効果】
【００１６】
請求項１、２に係る発明では、蓋体の閉鎖状態から所定開度までは強いばね力で蓋体を開放することができるようになる。即ち、簡単な構造、且つ大幅なコストアップなしに蓋体の再掛かりをより確実になくすことができるとともに、以後の開放を従来のものと同様にスムーズにすることができる。
【００１７】
また、従来のシャッター部材のように、付加するヒンジばねは外部に露出しないため見ばえが悪くなったり、手入れがし難くなるという新たな弊害は生じない。更に、所定角度までの開放が早くなるため、蓋体の下面に取付けられる内蓋に付着したつゆを内鍋内に振るい落とすことができ、本体へのつゆ垂れを低減することができる。
【００１８】
請求項３に係る発明では、所定開度後にフリーになるヒンジばねを、蓋体の全開位置の所定開度手前で蓋体の開放速度を遅らせるように作用させる、即ち、ブレーキをかけさせることにより、蓋体全開時の衝撃を緩和することができる。
【図面の簡単な説明】
【００１９】
【図１】本願発明の炊飯器の全体断面図
【図２】蓋体の一部の平面図
【図３】蓋体の蓋上部材を取り除いた状態を示す平面図
【図４】蓋体を斜め上方から見た斜視図
【図５】蓋体全閉時の一部拡大断面図
【図６】蓋体略３０°開放時の一部拡大断面図
【図７】蓋体略６７°開放時の一部拡大断面図
【図８】蓋体全開時の一部拡大断面図
【図９】コイルばねの変形例を示す概略図
【実施例】
【００２０】
以下、添付の図面を参照して、本願発明の好適な実施例について述べる。図１は炊飯器の全体断面図、図２、図３は蓋体の一部平面図であり、図４は蓋体のヒンジ部の斜視図であり、図５〜図８は補助コイルばねの作用を示す図である。なお、図１において操作部がある左側を前方とし、その反対側のヒンジ軸がある右側を後方とし、上側を上方とし、下側を下方とし、前後方向に直交する方向を左右方向とする。
【００２１】
炊飯器２０（含む炊飯ジャー）の略全体を図１に示す。炊飯器２０は、本体２１及び蓋体４０からなる。本体２１は、合成樹脂製の一体成形品からなる外ケース２２を有し、この外ケース２２の内部には、金属鍋或いは土鍋等の内鍋２３が着脱自在にセットされるとともに、この内鍋２３の外側には当該内鍋２３の形状に沿った保護枠である内ケース２４が設けられる。
【００２２】
この内ケース２４は、例えばポリエチレンテレフタレート等の耐熱性の合成樹脂製のもので、その底部中央にはサーミスタからなる温度センサ２５を臨ませるためのセンサ挿入孔を有する。
【００２３】
内ケース２４の上端は、外ケース２２の上端と肩部である肩部材２６を介して一体に結合される。内ケース２４の底部外面及び底部から側部にかけての湾曲部外面には、内鍋２３を誘導加熱する加熱手段である底部ワークコイル２７及び側部ワークコイル２８が設けられる。これら底部ワークコイル２７及び側部ワークコイル２８は、内ケース２４の底部及び湾曲部の各位置に、内ケース２４の底部中央を中心として同心円状に設けられる。なお、肩部材２６は本体２１と一体であっても別体であってもよい。
【００２４】
これら底部ワークコイル２７及び側部ワークコイル２８の下方には合成樹脂製のコイル支持台２９を有し、このコイル支持台２９がネジ等で内ケース２４に取り付けられることにより、底部ワークコイル２７及び側部ワークコイル２８は図示する所定位置に位置決め固定される。
【００２５】
前記外ケース２２の底部は側部と一体に形成されており、全体で上方に開口を有する容器を形成する。外ケース２２の後方の内部には、肩部材２６から垂下する形態で、制御基板３２が設けられる。
【００２６】
この制御基板３２には、底部ワークコイル２７、側部ワークコイル２８等の加熱手段を制御するためのマイコン及び電源回路等の電気部品が搭載される。なお、制御基板３２の後方側にはコード巻取器３３が設けられる。
【００２７】
前記蓋体４０は、外周面を形成する樹脂製の蓋上部材４１と、蓋下部材４２を有する。蓋上部材４１の前方側には、ロック機構４３が設けられる。ロック機構４３は押圧ボタンでもあるロックレバー４３ａ及び係止部４３ｂ（図１参照）を有し、ロックレバー４３ａを上方から押すと、ロックレバー４３ａの下方に位置する係止部４３ｂが本体２１の上端部に設けられる係止部との係合が解除される。すると蓋体４０は後記するヒンジばねであるコイルばね６２及び補助コイルばね６３のばね力により開蓋する。
【００２８】
また、蓋上部材４１の前方側には、炊飯ボタン、予約ボタン、取消ボタン及びメニューボタン等からなる各種操作ボタン４４及び表示部４５が設けられ、ユーザーは各種操作ボタン４４を押して所望の調理を実行する。そして、操作されたメニュー等が表示部４５に表示される。
【００２９】
前記蓋下部材４２は、蓋上部材４１と同様に樹脂製の部材であり、蓋下部材４２の中央且つ後方よりには楕円形の蒸気孔４６が設けられ、この蒸気孔４６にはおねば回収室４７ａを有する蒸気孔ユニット４７の先端が蒸気パッキン５０を介して着脱自在に嵌合されており、内鍋２３内の蒸気は、球状弁４８が開くと黒塗りの矢印で示すように流れて、蒸気孔ユニット４７のおねば回収室４７ａ内に流入し、おねばを分離後、蓋上部材４１に設けられる蒸気口４９より外部に放出される。
【００３０】
蓋下部材４２の上面には、図３で示すような補強部材５５が複数本のビスで上方から取り付けられている。この補強部材５５は、左右端に位置するとともに、前後方向に伸び、下方開放の断面門状の隆起部５５ａ、５５ａと、隆起部５５ａ、５５ａの下端部間を連結し、一部切欠穴５５ｃを有する水平部５５ｂとからなる金属製の部材であり、蓋体４０の上面を補強する。このような補強部材５５を設けることにより圧力をかけての炊飯使用を可能にしている。
【００３１】
補強部材５５の水平部５５ｂの後端は、切り掛かれ第１切り起こし片５６が形成されている。この第１切り起こし片５６は、矩形状の垂直部５６ａと、この垂直部５６ａの上端から後方に突き出る矩形状の水平部５６ｂとを有し、この水平部５６ｂの下面で後記補助コイルばね６３の長端部６３ａを支持する。
【００３２】
また、補強部材５５の水平部５５ｂには、同じく垂直部と水平部とを有する２つの小さな第２切り起こし片５７が左右方向に所定距離離れて形成されており、後記する２つのコイルばね６２、６２の長端部６２ａ、６２ａのそれぞれを支持する。
【００３３】
蓋下部材４２の後方部には、金属製のヒンジ軸６０が設けられる。前記補強部材５５の隆起部５５ａ、５５ａの後端部には、それぞれ軸支持孔６１、６１が形成されており、前記ヒンジ軸６０の両端は、それぞれの軸支持孔６１、６１に回転不能に取付けられる。
【００３４】
このヒンジ軸６０には、左右対称で且つ同ばね力を有し、且つ長さの長い長端部６２ａと長さの短い短端部６２ｂをそれぞれ有する２つのコイルばね６２、６２と、２つのコイルバネ６２、６２のそれぞれより弱いばね力を有し、長さの長い長端部６３ａと長さの短い短端部６３ｂを有する補助コイルばね６３が挿通される。なお、以後、補助コイルばね６３は、２つのコイルバネ６２、６２のそれぞれより弱いばね力を有するものとして説明するが、２つのコイルバネ６２、６２のそれぞれのばね力と同じであっても、それぞれのばね力より強いものでもよい。
【００３５】
また、このヒンジ軸６０には、ヒンジ軸６０回りを補強するための蓋補強部材６５が挿通され、蓋体４０の後方側を補強する。この蓋補強部材６５は図４に示すように略Ｔ字状の金属製板体であり、横方向に細長い矩形状の本体部６６及び矩形状の垂下部６７を有する。
【００３６】
前記本体部６６の左右端は、前方側に直角に折り曲げられており、その中央に軸貫通孔６６ａ、６６ａを有する。また、本体部６６には、２つのコイルばね６２、６２の長端部６２ａ、６２ａの根元近傍部及び１個の補助コイルばね６３の長端部６３ａの根元近傍部が侵入可能な３つの切欠溝６６ｂ、６６ｂ、６６ｂが設けられ、蓋体４０の全開時までの各ばねの移動を可能にしている。
【００３７】
前記垂下部６７は、本体部６６の下方の中央部から下方に垂下する形態で設けられる一体成形の板状部材であり、２つのねじ穴６７ａ、６７ａを有し、図示しない肩部材２６にネジ固定される肩補強部材にネジ固定される。即ち、蓋補強部材６５を上記のような形状にすることにより、蓋体４０の後方側を補強し、且つ蓋体４０の開蓋を可能にする。
【００３８】
また、この垂下部６７の前方側の面（図４で見えている面の反対側の面）には、２つのコイルばね６２、６２の短端部６２ｂ、６２ｂと、補助コイルばね６３の短端部６３ｂとが当接する。この当接の形態は、２つのコイルばね６２、６２の短端部６２ｂ、６２ｂは、単に当接するだけであるが、補助コイルばね６３の短端部６３ｂは、垂下部６７の前方側の面に形成される小さな第３切り起こし片６７ｂ（別途取り付けてなる取付片でもよい。）に嵌合固定される。
【００３９】
その理由は、２つのコイルばね６２、６２の短端部６２ｂ、６２ｂは、常時垂下部６７方向の力が作用する形態で取付けられるためであり、また、補助コイルばね６３は、蓋体４０の開蓋途中でフリー、即ち蓋体４０を開放するばね力が零になり、その長端部６３ａは蓋体４０（実際には第１切り起こし片５６）から離れるが、蓋体４０の全開時近傍で長端部６３ａを再度蓋体４０に当接させて蓋体４０にブレーキ力を付与することを可能にするためである。
【００４０】
ヒンジ軸６０の組立は以下のように行われる。図４に示すように前記補強部材５５の隆起部５５ａ、５５ａの後端部に形成される軸支持孔６１、６１の間に、蓋補強部材６５を置き、蓋補強部材６５内の中央に補助コイルばね６３を、左右にコイルばね６２、６２をそれぞれ置き、軸支持孔６１の一方からヒンジ軸６０を挿入する。
【００４１】
そして、挿入するヒンジ軸６０の先端を蓋補強部材６５の一方の軸貫通孔６６ａ、コイルばね６２、補助コイルばね６３、コイルばね６２、蓋補強部材６５の他方の軸貫通孔６６ａ、他方の軸支持孔６１の順に挿通し、挿通後にヒンジ軸６０を図示しない固定手段により蓋下部材４２に固定する。
【００４２】
そして、２つのコイルばね６２、６２の短端部６２ｂ、６２ｂを垂下部６７の前方側の面に当接し、補助コイルばね６３の短端部６３ｂを垂下部６７の前方側の面に形成される第３切り起こし片６７ｂに嵌合固定しておく。
【００４３】
その後、２つのコイルばね６２、６２の長端部６２ａ、６２ａを、補強部材５５の水平部５５ｂに形成される第２切り起こし片５７、５７に支持させ、補助コイルばね６３の長端部６３ａを、補強部材５５の水平部５５ｂの後方に形成される第１切り起こし片５６の水平部５６ｂの下面に支持させてヒンジ軸６０等を一体に組み込んでなる蓋体ユニットを完成させる。
【００４４】
そして、その後、蓋補強部材６５の垂下部６７を肩部材２６にネジ固定される図示しない肩補強部材にネジ固定して蓋体４０を本体２１に対して回動自在に取付ける。
【００４５】
本願発明の作用について説明する。図５に蓋体４０全閉時の補助コイルばね６３の状態を示し、図６に蓋体４０の略３０°（本願請求項１の所定開度の一例に相当）開蓋時の補助コイルばね６３の状態を示し、図７に蓋体４０の略６７°（全開時が９０°とすると略２３°が本願請求項３の所定開度の一例に相当）開蓋時の補助コイルばね６３の状態を示し、図８に蓋体４０全開時の補助コイルばね６３の状態を示す。
【００４６】
図５に示す蓋体４０全閉時の状態では、２つのコイルばね６２、６２のばね力と、２つのコイルばね６２、６２のばね力よりも弱い（小さい）補助コイルばね６３のばね力が蓋体４０を開放方向に付与しており、この状態で蓋体４０の上面に設けられるロックレバー４３ａを押し下げると、ロックレバー４３ａに連動する係止部４３ｂが前方側に移動し、本体２１側の係合部との係合が解除される。
【００４７】
すると、補助コイルばね６３の長端部６３ａの先端部は図５で示すように、第１切り起こし片５６の水平部５６ｂの下面に当接しており、従来の２つのコイルばね６２、６２のばね力に補助コイルばね６３のばね力が付加された従来より強い（大きい）ばね力で蓋体４０を早急に開方向に回動する。
【００４８】
そのため、ロックレバー４３ａから指を離しても係止部４３ｂが本体２１側の係合部と再係合する弊害が防止される。なお、新たに付加される補助コイルばね６３のばね力は、ロックレバー４３ａから指を離し係止部４３ｂが本体２１側の係合部と再係合する位置にまで戻る時間よりも早く蓋体４０を開放する強さ以上である。
【００４９】
蓋体４０が急激に開放し、図６に示す蓋体４０の開度が略３０°の位置まで至る。すると、補助コイルばね６３は伸びきり、フリーになり付勢されるばね力が零になる。即ち、補助コイルばね６３のばね力は、蓋体４０の開度が略３０°の位置までに設定されている。
【００５０】
なお、この略３０°の所定角度は、この角度であれば蓋体４０の再掛かりが確実に防止できる好ましい角度であるが、必ずしもこの角度でなくてもよい。しかし、この略３０°であると、蓋体４０の下面に付着する露を内鍋２３内に適切に振るい落とすことができる。
【００５１】
蓋体４０が略３０°開放して補助コイルばね６３のばね力が零になると、補助コイルばね６３の長端部６３ａの先端部は、第１切り起こし片５６の水平部５６ｂの下面から離れてフリーになり、以後の開放は２つのコイルばね６２、６２のばね力によって行われる。
【００５２】
その開放は、補助コイルばね６３のばね力を合わした開放速度より遅い速度であるが、図７に示す略６７°の所定角度までは２つのコイルばね６２、６２のばね力によって行われる。なお、略６７°も一例であり、それより小さくても大きくてもよい。
【００５３】
そして、蓋体４０が略６７°開放すると、図７に示すように補助コイルばね６３の長端部６３ａの先端部が蓋下部材４２の上面に当接する。すると、補助コイルばね６３の短端部６３ｂは蓋補強部材６５の第３切り起こし片６７ｂに係合しているため、補助コイルばね６３の長端部６３ａの先端部が蓋体４０を閉鎖する方向に作用するようになる。別言すれば、蓋体４０に対してブレーキ力を作用するようになる。
【００５４】
その結果、図７から図８の蓋体４０の全開時まで、蓋体４０の補助コイルばね６３の反ばね力により開速度が徐々に弱められ、蓋体４０の全開時の衝撃が低減する。このような形態にすることにより、別途のブレーキ構造を不要にすることができる。なお、蓋体４０の全開時を９０°としているが、この開度は単に一例である。
【００５５】
図９に変形コイルばね７０を示す。この例は、ばね力の異なる２個のばねを一体に形成してなるものである。即ち、コイルばね７０は、ばね力の強い第１コイルばね７１とばね力の弱い第２コイルばね７２を、連結部７３で一体に連結してなるものである。
【００５６】
第１コイルばね７１は、ばね力の強いばねであって、長端部７１ａと短端部７１ｂを有し、第２コイルばね７２は、ばね力の弱いばねであって、長端部７２ａと短端部７２ｂを有し、短端部７１ｂと短端部７２ｂとは連結部７３で連結される。
【００５７】
そして、第１コイルばね７１の長端部７１ａは、上記した例と同様に水平部５５ｂの第２切り起こし片５７に支持し、第２コイルばね７２の長端部７２ａは、上記した例と同様に第１切り起こし片５６に支持し、連結部７３を蓋補強部材６５の第３切り起こし片６７ｂに支持する。
【００５８】
第１コイルばね７１及び第２コイルばね７２は、蓋体４０の全閉から略３０°の開度まで開方向に作用し、略３０°〜略６７°までは第１コイルばね７１は開方向に作用し、第２コイルばね７２はフリーになり、それ以上の開度では、第１コイルばね７１は開方向に作用し、第２コイルばね７２は閉方向に作用する。即ち、この例のものも上記した別体のものと同様の作用効果を奏する。
【００５９】
本発明は、前記実施例の構成に限定されるものではなく、発明の要旨を逸脱しない範囲において適宜設計変更可能であり、例えば、上記炊飯器は、圧力式のものとして説明したが、圧力式でないものでもよく、また、ロックレバーが本体側にあるものでもよい。
【符号の説明】
【００６０】
２０…炊飯器                ２１…本体
２２…外ケース              ２３…内鍋
２４…内ケース              ２５…温度センサ
２６…肩部材                ２７…底部ワークコイル
２８…側部ワークコイル      ２９…コイル支持台
３２…制御基板              ３３…コード巻取器
４０…蓋体                  ４１…蓋上部材
４２…蓋下部材              ４３…ロック機構
４３ａ…ロックレバー        ４３ｂ…係止部
４４…操作ボタン            ４５…表示部
４６…蒸気孔                ４７…蒸気孔ユニット
４７ａ…おねば回収室        ４８…球状弁
４９…蒸気口                ５５…補強部材
５５ａ…隆起部              ５５ｂ…水平部
５５ｃ…切欠穴              ５６…第１切り起こし片
５６ａ…垂直部              ５６ｂ…水平部
５７…第２切り起こし片      ６０…ヒンジ軸
６１…軸支持孔              ６２…コイルバネ
６２ａ…長端部              ６２ｂ…短端部
６３…補助コイルばね        ６３ａ…長端部
６３ｂ…短端部              ６５…蓋補強部材
６６…本体部                ６６ａ…軸貫通孔
６６ｂ…切欠溝              ６７…垂下部
６７ａ…ネジ穴              ６７ｂ…第３切り起こし片
７０…コイルばね            ７１…第１コイルばね
７１ａ…長端部              ７１ｂ…短端部
７２…第２コイルばね        ７２ａ…長端部
７２ｂ…短端部              ７３…連結部
【図１】
2014213056.tif 000003
【図２】
2014213056.tif 000004
【図３】
2014213056.tif 000005
【図４】
2014213056.tif 000006
【図５】
2014213056.tif 000007
【図６】
2014213056.tif 000008
【図７】
2014213056.tif 000009
【図８】
2014213056.tif 000010
【図９】
2014213056.tif 000011